【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
特別図柄抽選契機が与えられたときに所定の特別図柄当選確率に基づいて特別図柄抽選を実行する特別図柄抽選手段と、
所定の始動条件を満たすことにより特別図柄変動ゲームを実行する特別図柄表示手段と、
前記特別図柄抽選に当選したことを条件に特別入賞口の開放を伴う特別遊技を実行する特別遊技実行手段と、
前記特別図柄表示手段による前記特別図柄変動ゲームと同期して飾り図柄を変動させて行う飾り図柄変動ゲームを実行する飾り図柄表示手段と、
前記特別図柄抽選の結果が当選の場合に「当たりリーチ演出」を、前記特別図柄抽選の結果が非当選の場合に所定のはずれリーチ当選確率に基づいてはずれリーチ抽選を実行すると共に当該はずれリーチ抽選に当選した場合に「はずれリーチ演出」を、前記特別図柄抽選の結果が非当選かつ前記はずれリーチ抽選の結果も非当選の場合に「はずれ演出」を、前記飾り図柄変動ゲームにおける変動演出として前記飾り図柄表示手段で実行させる変動演出実行手段と、
普通図柄抽選に当選したことを条件に所定の開閉パターンで動作する普通電動役物を備え、前記普通電動役物に遊技球が入賞することによって前記特別図柄抽選契機を与える普通電動役物付きの始動入賞装置とを備え、
通常状態と、所定の条件が成立した場合に前記普通電動役物の時間当たりの開放時間又は開閉回数を前記通常状態よりも増加させた特定状態とを有する遊技機において、さらに以下の構成をも備えていることを特徴とする遊技機。
（１Ａ）前記特別図柄抽選手段による特別図柄抽選の結果を、所定の最大保留個数を上限として保留記憶し得る保留記憶手段を備えていること。
（１Ｂ）前記最大保留個数、前記はずれリーチ当選確率及び前記特別図柄当選確率の関係が、［最大保留個数分の保留記憶の中に特別図柄抽選に当選した保留記憶が存在する確率］＞［はずれリーチ当選確率］の関係となる様に設定されていること。
（１Ｃ）前記通常状態中の前記開閉パターンとして、少なくとも前記最大保留個数以上の遊技球を入賞させ得る時間を越える期間にわたって前記普通電動役物を開放し続ける特定開放パターンが設定されていること。
（１Ｄ）前記特定開放パターンが実行されるときは報知演出を実行する特定開放報知演出実行手段を備えていること。
（２Ａ）前記普通電動役物付きの始動入賞装置のほかに、入賞口常時開放型の始動入賞装置を備え、前記特別図柄抽選手段が、前記入賞口常時開放型の始動入賞装置からの特別図柄抽選契機に基づいて実行した特別図柄抽選の結果を第１特別図柄抽選結果とし、前記普通電動役物付きの始動入賞装置からの特別図柄抽選契機に基づいて実行した特別図柄抽選の結果を第２特別図柄抽選結果とする手段として構成されていること。
【請求項２】
さらに、以下の構成をも備えていることを特徴とする請求項１に記載の遊技機。
（２Ｂ）前記保留記憶手段は、前記第１特別図柄抽選結果及び前記第２特別図柄抽選結果のそれぞれに対して設定された上限保留個数の合計を前記所定の最大保留個数として保留記憶可能な手段として構成されていること。
（２Ｃ）前記特定開放パターンが、少なくとも前記第２特別図柄抽選結果の上限保留個数以上の遊技球を入賞させ得る時間を越える期間にわたって前記普通電動役物を開放し続ける開閉パターンとして設定されていること。
【請求項３】
さらに、以下の構成をも備えていることを特徴とする請求項１又は２に記載の遊技機。
（３）所定の条件を契機として前記特別図柄当選確率を高めた高確率状態を発生させると共に、当該高確率状態が発生していない低確率状態に対して、前記最大保留個数、前記はずれリーチ当選確率及び前記特別図柄当選確率の関係が、［最大保留個数分の保留記憶の中に特別図柄抽選に当選した保留記憶が存在する確率］＞［はずれリーチ当選確率］の関係となる様に設定されていること。
【請求項４】
さらに、以下の構成をも備えていることを特徴とする請求項３に記載の遊技機。
（４）前記特別図柄当選確率が、前記高確率状態と前記低確率状態とでほぼ同一となる様に設定されていること。
【請求項５】
さらに、以下の構成をも備えていることを特徴とする請求項１〜４のいずれかに記載の遊技機。
（５Ａ）前記保留記憶手段に保留記憶があるときは、当該保留記憶に基づく前記特別図柄変動ゲームの開始前に、当該保留記憶について特定の条件が成立しているか否かの判定を実行する先読み判定手段を備えていること。
（５Ｂ）前記先読み判定手段により、前記特定の条件が成立していると判定されたときは、さらに、先読みゾーン突入演出を実行するか否かを判定する先読みゾーン突入判定手段を備えていること。
（５Ｃ）前記変動演出実行手段は、前記先読みゾーン突入判定手段によって先読みゾーン突入演出を実行すると判定されたときは、前記先読み判定手段によって特定の条件が成立していると判定された保留記憶に基づく変動演出の開始前に先読みゾーン突入演出を実行する手段として構成されていること。
【請求項６】
さらに、以下の構成をも備えていることを特徴とする請求項１〜５のいずれかに記載の遊技機。
（６）前記特定開放パターンが実行されている間に前記普通電動役物付きの始動入賞装置に対して所定個数以上の遊技球が入賞したときは、特殊演出を実行する特殊演出実行手段を備えていること。
【手続補正２】
【補正対象書類名】明細書
【補正対象項目名】０００７
【補正方法】変更
【補正の内容】
【０００７】
かかる目的を達成するためになされた本発明の遊技機は、特別図柄抽選契機が与えられたときに所定の特別図柄当選確率に基づいて特別図柄抽選を実行する特別図柄抽選手段と、所定の始動条件を満たすことにより特別図柄変動ゲームを実行する特別図柄表示手段と、前記特別図柄抽選に当選したことを条件に特別入賞口の開放を伴う特別遊技を実行する特別遊技実行手段と、前記特別図柄表示手段による前記特別図柄変動ゲームと同期して飾り図柄を変動させて行う飾り図柄変動ゲームを実行する飾り図柄表示手段と、前記特別図柄抽選の結果が当選の場合に「当たりリーチ演出」を、前記特別図柄抽選の結果が非当選の場合に所定のはずれリーチ当選確率に基づいてはずれリーチ抽選を実行すると共に当該はずれリーチ抽選に当選した場合に「はずれリーチ演出」を、前記特別図柄抽選の結果が非当選かつ前記はずれリーチ抽選の結果も非当選の場合に「はずれ演出」を、前記飾り図柄変動ゲームにおける変動演出として前記飾り図柄表示手段で実行させる変動演出実行手段と、普通図柄抽選に当選したことを条件に所定の開閉パターンで動作する普通電動役物を備え、前記普通電動役物に遊技球が入賞することによって前記特別図柄抽選契機を与える普通電動役物付きの始動入賞装置とを備え、通常状態と、所定の条件が成立した場合に前記普通電動役物の時間当たりの開放時間又は開閉回数を前記通常状態よりも増加させた特定状態とを有する遊技機において、さらに以下の構成をも備えていることを特徴とする。
（１Ａ）前記特別図柄抽選手段による特別図柄抽選の結果を、所定の最大保留個数を上限として保留記憶し得る保留記憶手段を備えていること。
（１Ｂ）前記最大保留個数、前記はずれリーチ当選確率及び前記特別図柄当選確率の関係が、［最大保留個数分の保留記憶の中に特別図柄抽選に当選した保留記憶が存在する確率］＞［はずれリーチ当選確率］の関係となる様に設定されていること。
（１Ｃ）前記通常状態中の前記開閉パターンとして、少なくとも前記最大保留個数以上の遊技球を入賞させ得る時間を越える期間にわたって前記普通電動役物を開放し続ける特定開放パターンが設定されていること。
（１Ｄ）前記特定開放パターンが実行されるときは報知演出を実行する特定開放報知演出実行手段を備えていること。
（２Ａ）前記普通電動役物付きの始動入賞装置のほかに、入賞口常時開放型の始動入賞装置を備え、前記特別図柄抽選手段が、前記入賞口常時開放型の始動入賞装置からの特別図柄抽選契機に基づいて実行した特別図柄抽選の結果を第１特別図柄抽選結果とし、前記普通電動役物付きの始動入賞装置からの特別図柄抽選契機に基づいて実行した特別図柄抽選の結果を第２特別図柄抽選結果とする手段として構成されていること。
【手続補正３】
【補正対象書類名】明細書
【補正対象項目名】００１３
【補正方法】変更
【補正の内容】
【００１３】
これら本発明の遊技機は、さらに、以下の構成をも備えるとよい。
（２Ｂ）前記保留記憶手段は、前記第１特別図柄抽選結果及び前記第２特別図柄抽選結果のそれぞれに対して設定された上限保留個数の合計を前記所定の最大保留個数として保留記憶可能な手段として構成されていること。
（２Ｃ）前記特定開放パターンが、少なくとも前記第２特別図柄抽選結果の上限保留個数以上の遊技球を入賞させ得る時間を越える期間にわたって前記普通電動役物を開放し続ける開閉パターンとして設定されていること。